(57)【要約】      （修正有）【課題】車椅子利用者などの足が不自由な人であっても貯蔵室内の被貯蔵物を容易に取り出すことができる冷蔵庫を提供する。【解決手段】冷蔵庫は、断熱箱１０と、断熱箱１０の開口を開閉する扉Ｄ（Ｄａ、Ｄｂ）と、扉Ｄを前後方向へ移動させるための前後方向移動機構Ｙ１と、扉Ｄが前方向または後方向へ移動した状態で扉Ｄを左右方向へ移動させるための左右方向移動機構Ｘ１と、を備える。【選択図】図２
2020169755.tif 000002
【特許請求の範囲】
【請求項１】
断熱箱と、
前記断熱箱の開口を開閉する扉と、
前記扉を前後方向へ移動させるための前後方向移動機構と、
前記扉が前方向または後方向へ移動した状態で前記扉を左右方向へ移動させるための左右方向移動機構と、
を備えた冷蔵庫。
【請求項２】
前記扉は、閉じたときには前記開口の左半部を閉じる左扉と前記開口の右半部を閉じる右扉とで構成されている請求項１に記載の冷蔵庫。
【請求項３】
前記左扉と前記右扉とは、前記扉を開いたときには互いに重なる請求項２に記載の冷蔵庫。
【請求項４】
前記断熱箱内を左右に区分ける仕切部が配置され、前記扉を閉じたときには、前記仕切部の左側の貯蔵空間を前記左扉が閉じ、前記仕切部の右側の貯蔵空間を前記右扉が閉じる請求項３に記載の冷蔵庫。
【請求項５】
前記左側の貯蔵空間および前記右側の貯蔵空間の一方が冷蔵室で他方が冷凍室である請求項４に記載の冷蔵庫。
【請求項６】
前記前後方向移動機構で前記扉が後方向に移動することで前記扉を前記開口に密閉させるためのシール材が配置されている請求項２〜５の何れか１項に記載の冷蔵庫。
【請求項７】
前記扉の正面側に静電スイッチが配置され、前記静電スイッチに使用者がタッチすることで前記扉の開閉がなされる請求項１〜６の何れか１項に記載の冷蔵庫。
【発明の詳細な説明】
【技術分野】
【０００１】
本発明の実施の形態は、冷蔵庫に関する。
【背景技術】
【０００２】
冷蔵庫は、冷凍室や冷蔵室などの貯蔵室を有している。貯蔵室の配置位置は、各貯蔵室の用途により決められていることが多い。
【０００３】
このような貯蔵室では、一般的に、貯蔵室の扉が観音開き方式あるいは引き出し方式で開閉される構造になっている。
【先行技術文献】
【特許文献】
【０００４】
【特許文献１】特開2001-133132号公報
【発明の概要】
【発明が解決しようとする課題】
【０００５】
ところで、車椅子利用者などの足が不自由な人は、後方移動を簡単に行うことができない。このため、観音開き方式あるいは引き出し方式で扉が開閉される構成の冷蔵庫では、
扉を容易に開閉することができない。
【０００６】
本発明は、上記に鑑みてなされたものであり、車椅子利用者などの足が不自由な人であっても貯蔵室内の被貯蔵物を容易に取り出すことができる冷蔵庫を提供することを課題とする。
【課題を解決するための手段】
【０００７】
実施形態に係る冷蔵庫は、断熱箱と、前記断熱箱の開口を開閉する扉と、前記扉を前後方向へ移動させるための前後方向移動機構と、前記扉が前方向または後方向へ移動した状態で前記扉を左右方向へ移動させるための左右方向移動機構と、を備える。
【図面の簡単な説明】
【０００８】
【図１】第１実施形態に係る冷蔵庫の全体を示す模式的な正面図である。
【図２】第１実施形態に係る冷蔵庫で、左扉を右方向へ移動させたことで左半部の貯蔵空間を開放したことを示す模式的な斜視図である。
【図３】第１実施形態に係る冷蔵庫で、断熱箱の部分正面断面図である。
【図４】第１実施形態に係る冷蔵庫で、（ａ）は右扉を手前に引き出して左方向へ移動させることで右半部の貯蔵空間を開放することを説明する模式的な平面図、（ｂ）は左扉を手前に引き出して右方向へ移動させることで左半部の貯蔵空間を開放することを説明する模式的な平面図である。
【図５】第２実施形態に係る冷蔵庫の全体を示す模式的な正面図である。
【図６】第２実施形態に係る冷蔵庫で、扉の開閉機構を説明するための側面断面図である。
【図７】第１実施形態、第２実施形態に係る冷蔵庫の変形例を説明する模式的な正面図である。
【発明を実施するための形態】
【０００９】
以下、図面を用いて、実施するための形態（以下、実施形態と称する）を説明する。なお、第２実施形態では、第１実施形態と同様の構成には同じ符号を付してその説明を適宜に省略する。
【００１０】
以下の説明では、冷蔵庫正面側から見て前後方向を単に前後方向、冷蔵庫正面側から見て前方向（手前方向）を単に前方向、前側、あるいは手前側、冷蔵庫正面側から見て後方向（奥行方向）を単に後方向あるいは後側、と適宜に記載する。また、冷蔵庫正面側から見て左右方向を単に左右方向、冷蔵庫正面側から見て左方向を単に左方向あるいは左側、冷蔵庫正面側から見て右方向を単に右方向あるいは右側、と適宜に記載する。
【００１１】
（第１実施形態）
まず、第１実施形態を説明する。
【００１２】
＜冷蔵庫１の全体構成例＞
図１は、本実施形態に係る冷蔵庫の全体を示す模式的な正面図である。図２は、本実施形態に係る冷蔵庫で、左扉を右方向へ移動させたことで左半部の貯蔵空間を開放したことを示す模式的な斜視図である。図３は、本実施形態に係る冷蔵庫で、断熱箱の部分正面断面図である。図４は、本実施形態に係る冷蔵庫で、（ａ）は右扉を手前に引き出して左方向へ移動させることで右半部の貯蔵空間を開放することを説明する模式的な平面図、（ｂ）は左扉を手前に引き出して右方向へ移動させることで左半部の貯蔵空間を開放することを説明する模式的な平面図である。
【００１３】
本実施形態に係る冷蔵庫１は、断熱箱１０と、断熱箱１０の開口１０ｍを開閉する扉Ｄとを冷蔵庫本体１ｆに備える。更に冷蔵庫１は、扉Ｄを前後方向へ移動させる前後方向移動機構Ｙ１と、扉Ｄが前方向へ移動した状態で扉を左右方向へ移動させる左右方向移動機構Ｘ１と、を冷蔵庫本体１ｆに備える。
【００１４】
本実施形態では、扉Ｄは、冷蔵庫正面側から見て開口１０ｍの左半部を閉じる左扉Ｄａと、冷蔵庫正面側から見て開口１０ｍの右半部を閉じる右扉Ｄｂとで構成されている。
【００１５】
そして、左扉Ｄａと右扉Ｄｂとは、扉解放時（扉を開いたとき）には互いに重なる構成にされている。すなわち、左扉Ｄａを開いたときには右扉Ｄｂの手前側に左扉Ｄａが重なっており、右扉Ｄｂを開いたときには左扉Ｄａの手前側に右扉Ｄｂに重なっている（図４参照）。
【００１６】
そして断熱箱１０には、断熱箱内を左右に区分ける仕切板Ｐ（仕切部）が配置され、左扉Ｄａを閉じたときには仕切板Ｐの左側の貯蔵空間Ｓａを左扉Ｄａが閉じ、右扉Ｄｂを閉じたときには仕切板Ｐの右側の貯蔵空間Ｓｂを右扉Ｄｂが閉じる構成にされている。
【００１７】
そして、前後方向移動機構Ｙ１で扉Ｄ（左扉Ｄａおよび右扉Ｄｂ）を後方向に移動させることで扉Ｄを開口１０ｍに密閉させるためのシール材Ｇが配置されている。
【００１８】
本実施形態では、左側の貯蔵空間Ｓａおよび右側の貯蔵空間Ｓｂの一方が冷蔵室で他方が冷凍室である。以下、左側の貯蔵空間Ｓａが冷蔵室Ｓｃで右側の貯蔵空間Ｓｂが冷凍室Ｓｒである例で説明するが、左側の貯蔵空間Ｓａが冷凍室Ｓｒで右側の貯蔵空間Ｓｂが冷蔵室Ｓｃでもよく、両方とも冷蔵室、あるいは、両方とも冷凍室であってもよく、いずれの貯蔵空間を何室にするかは限定しない。
【００１９】
＜詳細説明＞
断熱箱１０は、内箱１０ｉと外箱１０ｅとを有する。そして断熱箱１０は、内箱と外箱との間に設けられた発泡断熱材１０ｈを有する（図３参照）。
【００２０】
前後方向移動機構Ｙ１は、左扉Ｄａを前後方向に平行移動可能なように下方から支える左扉用前後方向レールＹ１ａと、右扉Ｄｂを前後方向に平行移動可能なように下方から支える右扉用前後方向レールＹ１ｂと、を備える。
【００２１】
左右方向移動機構Ｘ１は左右方向レールＸ１ａを備える。この左右方向レールＸ１ａは、左扉Ｄａが左扉用前後方向レールＹ１ａに案内されて前方端へ平行移動したときに左扉Ｄａを左右方向へスライド移動可能なように下方から支えることができ、右扉Ｄｂが右扉用前後方向レールＹ１ｂに案内されて前方端へ平行移動したときに右扉Ｄｂを左右方向へスライド移動可能なように下方から支えることができるように配置されている。そして、左扉Ｄａが、左扉用前後方向レールＹ１ａから左右方向レールＸ１ａへスムーズに移動でき、しかも、左右方向レールＸ１ａから左扉用前後方向レールＹ１ａへスムーズに移動できるように、左扉用前後方向レールＹ１ａ、および、左右方向レールＸ１ａの配置位置や形状が予め決められている。
【００２２】
右扉Ｄｂに関しても同様であり、右扉Ｄｂが、右扉用前後方向レールＹ１ｂから左右方向レールＸ１ａへスムーズに移動でき、しかも、左右方向レールＸ１ａから右扉用前後方向レールＹ１ｂへスムーズに移動できるように、右扉用前後方向レールＹ１ｂ、および、左右方向レールＸ１ａの配置位置や形状が予め決められている。
【００２３】
そして、扉開閉時に左扉Ｄａと右扉Ｄｂとが互いに干渉しないように、左扉用前後方向レールＹ１ａ、右扉用前後方向レールＹ１ｂの長さや配置位置が調整されている。
【００２４】
なお、左扉Ｄａおよび右扉Ｄｂが１本の左右方向レールＸ１ａによってそれぞれ左右方向へスライド移動可能にされた構成例で説明したが、２本の左右方向レール（左扉用左右方向レールおよび右扉用左右方向レール）を配置してもよい。
【００２５】
シール材Ｇは、閉じた状態の左扉Ｄａのうち開口１０ｍと接触する縁部（すなわち、左扉Ｄａの左側縁部裏面側、上側縁部裏面側および下側縁部裏面側）と、閉じた状態の右扉Ｄｂのうち開口１０ｍと接触する縁部（すなわち、右扉Ｄｂの右側縁部、上側縁部および下側縁部）とに配置されている。そして、仕切板Ｐの前側（冷蔵庫正面側）にもシール材Ｇが配置されている。
【００２６】
そして、密閉が解除されている左扉Ｄａを左扉用前後方向レールＹ１ａで後方向に案内しつつ移動させることで、左扉Ｄａと開口１０ｍおよび仕切板Ｐとがシール材Ｇで密着し、左扉Ｄａが左側の貯蔵空間Ｓａを密閉するようになっている。同様に、密閉が解除された右扉Ｄｂを右扉用前後方向レールで後方向へ案内しつつ移動させることで、右扉Ｄｂと開口１０ｍおよび仕切板Ｐとがシール材Ｇで密着し、右扉Ｄｂが右側の貯蔵空間Ｓｂを密閉するようになっている。なお、開口１０ｍや扉（左扉Ｄａ、右扉Ｄｂ）に磁石を配置して、密閉、密閉解除が切り替えられる構成にしてもよい。
【００２７】
（作用、効果）
以上説明したように、本実施形態に係る冷蔵庫１は、断熱箱１０と、断熱箱１０の開口１０ｍを開閉する扉Ｄとを備える。更に冷蔵庫１は、扉Ｄを前方向へ平行移動させる前後方向移動機構Ｙ１と、扉Ｄが前後方向へ移動した状態で扉を左右方向へ移動させる左右方向移動機構Ｘ１と、を備える。
【００２８】
従って、扉Ｄを開閉する際、観音開き方式や引き出し方式の扉のように手前側へ大きく移動させることなく左右方向に移動させることで開閉できるので、車椅子利用者などの足が不自由な人であっても貯蔵室内の被貯蔵物を容易に取り出すことができる。また、閉じたときには左右方向に同一平面となるように左扉Ｄａおよび右扉Ｄｂを配置することができるので、冷蔵庫１の奥行寸法を小さくすることができる。
【００２９】
また、扉Ｄは、開口１０ｍの左半部を閉じる左扉Ｄａと開口１０ｍの右半部を閉じる右扉Ｄｂとで構成されている。これにより、１枚の扉にした場合よりも扉の開閉動作がコンパクトになるので、車椅子利用者などの足が不自由な人使い易い。また、冷蔵庫１をキッチンスペースに設置しても貯蔵物の出し入れを容易に行うことができる。
【００３０】
また、左扉Ｄａと右扉Ｄｂとは、扉を開いたときには互いに重なるので、開いた扉のためのスペースを冷蔵庫１の外側に設けなくても済む。
【００３１】
また、断熱箱１０内を左右に区分ける仕切板Ｐが配置され、扉を閉じたときには、仕切板Ｐの左側の貯蔵空間Ｓａを左扉Ｄａが閉じ、仕切板Ｐの右側の貯蔵空間Ｓｂを右扉Ｄｂが閉じる。従って、左側の貯蔵空間Ｓａ、右側の貯蔵空間Ｓｂで設定温度を異ならせることができる。このことは、左側の貯蔵空間Ｓａおよび右側の貯蔵空間Ｓｂの一方を冷蔵室で他方を冷凍室にすることを容易に実現させることができる。
【００３２】
また、密閉が解除されている左扉Ｄａを後方向へ左扉用前後方向レールＹ１ａで案内しつつ移動させることで、シール材Ｇが開口１０ｍあるいは仕切板Ｐに押圧されて左扉Ｄａが左側の貯蔵空間Ｓａを密閉するようになっており、右扉Ｄｂでも同様である。これにより、閉じたときには左右方向に同一平面となるように左扉Ｄａおよび右扉Ｄｂを配置できるという効果も奏される。
【００３３】
なお、仕切板Ｐの前側に配置されたシール材Ｇを、配置位置を変更して右扉Ｄｂと左扉Ｄａとの間に配置してもよい。
【００３４】
（第２実施形態）
次に、第２実施形態を説明する。図５は、本実施形態に係る冷蔵庫の全体を示す模式的な正面図である。図６は、本実施形態に係る冷蔵庫で、扉の開閉機構を説明するための側面断面図である。
【００３５】
本実施形態に係る冷蔵庫２１は、扉Ｄを前後方向へ移動させる前後方向移動機構Ｙ２と、扉Ｄが前方向へ移動した状態で扉を左右方向へ移動させる左右方向移動機構Ｘ２と、を冷蔵庫本体２１ｆに備える。
【００３６】
本実施形態では、第１実施形態と同様、扉Ｄは左扉Ｄｃと右扉Ｄｄとで構成されている。そして、左扉Ｄｃの移動機構と右扉Ｄｄの移動機構とは同じ原理であり、図４（ａ）および（ｂ）に示したような重ね合わせが可能である。従って、以下の説明では、扉の移動機構については左扉Ｄｃに関して詳細に説明し、右扉Ｄｄの移動機構の説明を省略する。なお、扉開閉時に左扉Ｄｃと右扉Ｄｄとが互いに干渉しないように各構成要素の配置位置および形状が予め調整されている。
【００３７】
本実施形態の冷蔵庫２１は、仕切板（第１実施形態で説明した仕切板Ｐと同様のもの。説明の都合上、図示省略）に固定されて前後方向に左扉Ｄｃを案内する第１レール２４と、左扉Ｄｃの裏面側に左右方向に沿って配置された第２レール２６とを備える。第１レール２４、第２レール２６は、冷蔵庫本体２１ｆの上部、下部にそれぞれ配置されている。
【００３８】
また、冷蔵庫２１は、図５に示すように、第１レール２４で滑車２８を介して前後方向に移動可能に支えられたブラケット３０を備える。ブラケット３０は、前部（冷蔵庫正面部）で第２レール２６を左右方向にスライド移動可能に支えている。ブラケット３０および滑車２８も冷蔵庫本体２１ｆの上部、下部にそれぞれ配置されている。そして冷蔵庫２１は、冷蔵庫２１の上部、下部にそれぞれ配置されたブラケット同士を連結する補強部材３４を備える。
【００３９】
また、本実施形態では、扉Ｄの左右方向中央位置、すなわち、左扉Ｄｃの右側部、および、右扉Ｄｄの左側部に、それぞれハンドル部３２ａ、３２ｂが配置されており、使用者がハンドル部３２ａに手を掛けて左扉Ｄｃを左右方向や前後方向へ移動でき、ハンドル部３２ｂに手を掛けて右扉Ｄｄを左右方向や前後方向へ移動できる構成にされている。
【００４０】
そして、これらの構成要素によって、冷蔵庫２１が備える前後方向移動機構Ｙ２および左右方向移動機構Ｘ２が構成されている。
【００４１】
本実施形態では、第１実施形態と同様、扉Ｄ（左扉Ｄｃ、右扉Ｄｄ）を開閉する際、観音開き方式や引き出し方式の扉のように手前側へ大きく移動させることなく左右方向に移動させることで開閉できる。従って、車椅子利用者などの足が不自由な人であっても貯蔵室内の被貯蔵物を容易に取り出すことができる。また、閉じたときには左右方向に同一平面となるように左扉Ｄｃおよび右扉Ｄｄを配置することができるので、冷蔵庫２１の奥行寸法を小さくすることができる。
【００４２】
また、扉Ｄの裏面側で扉Ｄが移動可能に支えられている（すなわち、左扉Ｄｃの裏面側で左扉Ｄｃが移動可能に支えられ、右扉Ｄｄでも同様である）。これにより、扉Ｄを下方から移動可能に支える構成にしなくても済むので、第１実施形態よりも軽い力で扉Ｄを前方へ移動させることができる。しかも、扉Ｄの下側にレールを当接させない構成にできるので、扉Ｄをよりスムーズに移動させることができる。
【００４３】
また、冷蔵庫２１の上部、下部にそれぞれ配置されたブラケット同士を連結する補強部材３４が備えられている。これにより、ブラケット３０の固定を補強できるとともに、ブラケット３０のガタツキを効果的に抑えることができる。
【００４４】
また、扉Ｄの左右方向中央位置、すなわち、左扉Ｄｃの右側部、および、右扉Ｄｄの左側部に、それぞれハンドル部３２ａ、３２ｂが配置されており、使用者がハンドル部に手を掛けて左扉Ｄｃや右扉Ｄｄを左右方向へ移動できる構成にされている。従って、車椅子利用者などの足が不自由な人であっても、扉Ｄをより更にスムーズに移動させ易い。
【００４５】
また、第１実施形態と同様、扉Ｄが、開口１０ｍの左半部を閉じる左扉Ｄｃと開口１０ｍの右半部を閉じる右扉Ｄｄとで構成されるので、扉の開閉動作がコンパクトになる。従って、足が不自由な人であっても使い易く、また、冷蔵庫２１をキッチンスペースに設置しても貯蔵物の出し入れを容易に行うことができ、しかも、左扉Ｄｃと右扉Ｄｄとは、扉を開いたときには互いに重なるので開いた扉のためのスペースを設けなくても済む。
【００４６】
また、断熱箱１０内を左右に区分ける仕切板によって、左側の貯蔵空間Ｓａ、右側の貯蔵空間Ｓｂで設定温度を異ならせることができる。
【００４７】
また、第１実施形態と同様、左扉Ｄｃおよび右扉Ｄｄを閉じることによって、シール材が開口１０ｍあるいは仕切板に押圧されて右扉Ｄｄが右側の貯蔵空間Ｓｂを密閉し左扉Ｄｃが左側の貯蔵空間Ｓａを密閉する構成にしても良く、これによって、閉じたときには左右方向に同一平面となるように左扉Ｄｃおよび右扉Ｄｄを配置できるという効果も奏される。
【００４８】
以上、実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４９】
第１実施形態、第２実施形態に示す冷蔵庫１の構造は、あくまで一例であり、任意の構造を採用することができる。
【００５０】
例えば、図７に示すように、扉Ｄの正面側に静電スイッチ４０が配置され、静電スイッチ４０に使用者がタッチすることで扉Ｄの開閉がなされる構成にしてもよい。
【００５１】
また、１つの断熱箱１０内を仕切板によって２つの空間（左側の貯蔵空間Ｓａ、および、右側の貯蔵空間Ｓｂ）を形成することに代えて２つの断熱箱が左右方向に２つ並べて配置された構成にしてもよい。
【００５２】
また、仕切板を磁性体で構成させて、必要な部材を磁石部材で構成させて仕切板に着脱自在にしても良い。
【００５３】
また、扉が２枚で構成される冷蔵庫で説明したが、扉が１枚で構成される冷蔵庫であっても適用可能である。
【００５４】
また、扉が前方向に移動することで扉が開く冷蔵庫で説明したが、扉が後方向に移動することで扉が開く冷蔵庫としてもよい。例えば、図４（ａ）の二点鎖線で示すように、右扉Ｄｂを後方向に移動させて左扉Ｄａの後側に移動させることで開く構成や、図４（ｂ）の二点鎖線で示すように、左扉Ｄａを後方向に移動させて右扉Ｄｂの後側に移動させることで開く構成にしてもよい。
【符号の説明】
【００５５】
１  冷蔵庫
１ｆ  冷蔵庫本体
１０  断熱箱
１０ｉ  内箱
１０ｅ  外箱
１０ｈ  発泡断熱材
１０ｍ  開口
２１  冷蔵庫
２１ｆ  冷蔵庫本体
２４  第１レール
２６  第２レール
２８  滑車
３０  ブラケット
３２ａ  ハンドル部
３２ｂ  ハンドル部
３４  補強部材
４０  静電スイッチ
Ｄ  扉
Ｄａ  左扉
Ｄｂ  右扉
Ｄｃ  左扉
Ｄｄ  右扉
Ｇ  シール材
Ｐ  仕切板
Ｓａ  左側の貯蔵空間
Ｓｂ  右側の貯蔵空間
Ｓｃ  冷蔵室
Ｓｒ  冷凍室
Ｘ１  左右方向移動機構
Ｘ１ａ  左右方向レール
Ｘ２  左右方向移動機構
Ｙ１  前後方向移動機構
Ｙ１ａ  左扉用前後方向レール
Ｙ１ｂ  右扉用前後方向レール
Ｙ２  前後方向移動機構
【図１】
2020169755.tif 000003
【図２】
2020169755.tif 000004
【図３】
2020169755.tif 000005
【図４】
2020169755.tif 000006
【図５】
2020169755.tif 000007
【図６】
2020169755.tif 000008
【図７】
2020169755.tif 000009